(57)【要約】【課題】受光素子の受光領域を位置調整に使用する目的で分割することなく、受光素子の位置調整を容易、且つ低コストに行える光ピックアップ用受光素子の位置調整方法を提供する。【解決手段】光記録媒体の半径方向と平行なトラッキング方向に対物レンズを移動させた場合に、光記録媒体で反射された反射光が受光面に集光して形成するスポット光が、受光面上を移動する方向であるＸ方向の受光素子の位置調整は、対物レンズをトラッキング方向に振動させながら、受光素子で反射光を受光した場合に得られる出力信号を観測して行われる。【選択図】図４
2007250034.tif 000002
【特許請求の範囲】
【請求項１】
光記録媒体から反射された反射光を受光する受光素子の受光面と平行な面内で互いに直交するＸ方向とＹ方向とに、前記受光素子を移動しながらその位置調整を行う光ピックアップ用受光素子の位置調整方法において、
前記Ｘ方向は、光源から出射された光ビームを前記光記録媒体の記録面に集光する対物レンズを、前記光記録媒体の半径方向と平行なトラッキング方向に移動した場合に、前記反射光が前記受光面に集光して形成するスポット光が、前記受光面上を移動する方向であって、
前記Ｘ方向の位置調整は、前記対物レンズを前記トラッキング方向に振動させながら、前記受光素子で前記反射光を受光した場合に得られる出力信号を観測して行うことを特徴とする光ピックアップ用受光素子の位置調整方法。
【請求項２】
前記対物レンズの前記トラッキング方向への移動は、前記対物レンズを搭載する対物レンズホルダを移動可能とする対物レンズアクチュエータを用いて行われることを特徴とする請求項１に記載の光ピックアップ用受光素子の位置調整方法。
【請求項３】
前記対物レンズの振動幅は、前記受光素子上に配置され、位置調整に用いられる受光領域のＸ方向の幅から、前記受光領域に形成される前記スポット光のＸ方向の最大幅の半分を差し引いた長さと略同一であることを特徴とする請求項１又は請求項２に記載の光ピックアップ用受光素子の位置調整方法。
【請求項４】
前記受光素子上に配置されるいずれの受光領域も、前記Ｙ方向と平行な線で分割される領域を有さないことを特徴とする請求項１から請求項３のうちのいずれか１項に記載の光ピックアップ用受光素子の位置調整方法。
【請求項５】
前記受光素子上には、前記対物レンズの焦点位置が前記光記録媒体の記録面上に存在するように制御するために用いるフォーカスエラー信号を、スポットサイズ方式で得られるように受光領域が形成されることを特徴とする請求項４に記載の光ピックアップ用受光素子の位置調整方法。
【請求項６】
前記受光素子上には、前記焦点位置が、前記光記録媒体に形成されるトラックに追従するように制御するために用いるトラックエラー信号を、コレクトファーフィールド方式で得られるように受光領域が形成されることを特徴とする請求項４又は請求項５に記載の光ピックアップ用受光素子の位置調整方法。
【発明の詳細な説明】
【技術分野】
【０００１】
本発明は、光ピックアップに備えられる受光素子の位置調整方法に関する。
【背景技術】
【０００２】
コンパクトディスク（以下、ＣＤという。）やデジタル多用途ディスク（以下、ＤＶＤという。）といった光記録媒体が普及している。また、最近では、光記録媒体の情報量を更に増やすために、光記録媒体の高密度化に関する研究が進められ、例えば、ブルーレイディスク（以下、ＢＤという。）といった高密度化された光記録媒体も実用化されてきている。
【０００３】
このような、光記録媒体に情報を書き込んだり、光記録媒体から情報を読み取ったりする装置として光ピックアップがある。例えば、光ピックアップを用いて光記録媒体の情報の読み取りを行う場合、光源から出射された光ビームが、対物レンズにより光記録媒体の記録面に集光され、この光記録媒体で反射された反射光が受光素子で検出される。
【０００４】
この際、光軸に対して受光素子の位置調整が不十分であると、受光素子における光の検出量が不正確となり、情報の読み取り品質が劣化するといった問題が発生する。このため、受光素子の位置調整は非常に重要であり、光ピックアップの組立て工程で重要な位置を占める。
【０００５】
ところで、光ピックアップに備えられる受光素子に設けられる受光領域は、その目的や設計上の都合により、様々な形態で配置される。例えば、光ピックアップの光源から出射された光ビームのスポット位置が常に光記録媒体の記録面に合うように制御するために必要となるフォーカスエラー信号を得るために、図５に示すように、Ｏ、Ｐ、Ｑ、Ｒの４つの領域に分割された受光領域が受光素子に設けられる場合がある。また、同様にフォーカスエラー信号を得るために、図６に示すように、Ｓ、Ｔ、Ｕの３つの領域に分割された受光領域が受光素子に設けられる場合もある。
【０００６】
なお、図５の場合は、いわゆる非点収差方式によりフォーカスエラー信号を得る構成であり、図６の場合は、いわゆるスポットサイズ方式によりフォーカスエラー信号を得る構成である。
【０００７】
また、光ビームのスポット位置が光記録媒体に形成されるトラックに追従するように制御するために必要となるトラックエラー信号を得る目的でも、例えば、図５に示すような４つの領域に分割された受光領域が受光素子に設けられる場合や、図６に示すような３つの領域に分割された受光領域が受光素子に設けられる場合もある。なお、図５の場合は、例えば、いわゆるＤＰＤ（Differencial Phase Detection）方式でトラックエラー信号を得る構成であり、図６の場合は、例えばいわゆるコレクトファーフィールド方式でトラックエラー信号を得る構成である。
【０００８】
このような受光素子の位置調整を行う場合、従来、Ｘ方向とＹ方向とに受光素子を移動させながら最適な位置を見つけて配置する方法が用いられる。なお、ここで、Ｘ、Ｙ方向はいずれも受光素子の受光面と平行な面内に存在し、Ｘ方向は光記録媒体の半径方向と平行なトラッキング方向に対物レンズを移動させた場合に受光素子上に集光される光スポットが移動する方向で、Ｙ方向はＸ方向と直交する方向である。
【０００９】
そして、例えば、図５に示すような受光素子の場合には、領域Ｏ、Ｐ、Ｑ、Ｒで得られる信号をＳＯ、ＳＰ、ＳＱ、ＳＲとした場合に、以下の式（１）を満たすように位置調整すれば、受光素子を最適な位置に位置調整できる。
（ＳＯ＋ＳＱ）−（ＳＰ＋ＳＲ）＝０    （１）
【００１０】
しかしながら、図６に示すような受光素子の場合には、領域Ｓ、Ｕで得られる信号をＳＳ、ＳＵとした場合に、以下の式（２）を満たすように調整すれば、Ｙ方向の位置調整はできるが、Ｘ方向については信号を検出しながら位置調整することができない。
ＳＳ−ＳＵ＝０    （２）
【００１１】
このため、従来は、図７に示すように、受光領域が有する一部又は全部の領域をＹ方向に分割し（図７においては領域Ｔが分割されている）、これにより、Ｘ方向についても信号を検出しながら、受光素子の位置調整が行えるようにしていた。
【００１２】
しかしながら、図７に示す場合のように、本来分割する必要が無い領域を分割した場合には、受光領域１つが有する領域が増える分だけアンプが余分に必要となり、コストアップの問題があった。また、本来分割する必要がない部分を分割しているために、この分割した部分については、信号を足し合わせて得ることとなり、信号にノイズが発生する原因ともなっていた。
【００１３】
そして、受光素子の位置調整の方法については、従来、特許文献１や特許文献２等に紹介されているが、上述のＸ方向の位置調整について発生する問題点について解決する方法についての提案はなされていない。
【特許文献１】特開２００２−１０９７８２号公報
【特許文献２】特開２００４−３３４９３５号公報
【発明の開示】
【発明が解決しようとする課題】
【００１４】
以上の問題点を鑑みて、本発明の目的は、受光素子の受光領域を位置調整に使用する目的で分割することなく、受光素子の位置調整を容易、且つ低コストに行える光ピックアップ用受光素子の位置調整方法を提供することである。
【課題を解決するための手段】
【００１５】
上記目的を達成するために本発明は、光記録媒体から反射された反射光を受光する受光素子の受光面と平行な面内で互いに直交するＸ方向とＹ方向とに、前記受光素子を移動しながらその位置調整を行う光ピックアップ用受光素子の位置調整方法において、前記Ｘ方向は、光源から出射された光ビームを前記光記録媒体の記録面に集光する対物レンズを、前記光記録媒体の半径方向と平行なトラッキング方向に移動した場合に、前記反射光が前記受光面に集光して形成するスポット光が、前記受光面上を移動する方向であって、前記Ｘ方向の位置調整は、前記対物レンズを前記トラッキング方向に振動させながら、前記受光素子で前記反射光を受光した場合に得られる出力信号を観測して行うことを特徴としている。
【００１６】
また、本発明は、上記構成の光ピックアップ用受光素子の位置調整方法において、前記対物レンズの前記トラッキング方向への移動は、前記対物レンズを搭載する対物レンズホルダを移動可能とする対物レンズアクチュエータを用いて行われることを特徴としている。
【００１７】
また、本発明は、上記構成の光ピックアップ用受光素子の位置調整方法において、前記対物レンズの振動幅は、前記受光素子上に配置され、位置調整に用いられる受光領域のＸ方向の幅から、前記光ビームが前記受光領域に形成するスポットのＸ方向の最大幅の半分を差し引いた長さと略同一であることを特徴としている。
【００１８】
また、本発明は、上記構成の光ピックアップ用受光素子の位置調整方法において、前記受光素子上に配置されるいずれの受光領域も、前記Ｙ方向と平行な線で分割される領域を有さないことを特徴としている。
【００１９】
また、本発明は、上記構成の光ピックアップ用受光素子の位置調整方法において、前記受光素子上には、前記対物レンズの焦点位置が前記光記録媒体の記録面上に存在するように制御するために用いるフォーカスエラー信号を、スポットサイズ方式で得られるように受光領域が形成されることを特徴としている。
【００２０】
また、本発明は、上記構成の光ピックアップ用受光素子の位置調整方法において、前記受光素子上には、前記焦点位置が、前記光記録媒体に形成されるトラックに追従するように制御するために用いるトラックエラー信号を、コレクトファーフィールド方式で得られるように受光領域が形成されることを特徴としている。
【発明の効果】
【００２１】
本発明の第１の構成によれば、光ピックアップに備えられる光記録媒体から反射された反射光を受光する受光素子の位置調整のうち、対物レンズをトラッキング方向に振動した際に、受光素子に集光するスポット光が受光素子の受光面上を移動する方向の位置調整を、受光素子の受光領域を位置調整用に分割することなく、受光素子で得られる信号を用いながら簡易な構成で行うことができる。
【００２２】
また、本発明の第２の構成によれば、上記第１の構成の光ピックアップ用受光素子の位置調整方法において、光ピックアップに備えられる対物レンズアクチュエータを用いて、受光素子の位置調整が実現できるため、位置調整時に余分な作業負担やコストがかからない。
【００２３】
また、本発明の第３の構成によれば、上記第１又は第２の構成の光ピックアップ用受光素子の位置調整方法において、受光素子を最適な位置に配置しやすい。
【００２４】
また、本発明の第４の構成によれば、上記第１から第３のいずれかの構成の光ピックアップ用受光素子の位置調整方法において、従来においては、受光素子の受光領域を余分に分割していたような場合でも、余分な分割をすることなく、受光素子から得られる信号を用いて受光素子の位置調整を実現できる。
【００２５】
また、本発明の第５の構成によれば、上記第４の構成の光ピックアップ用受光素子の位置調整方法において、フォーカスエラー信号を得るために受光素子に設けられる受光領域がＹ方向と平行な線で分割される領域を有さない構成となるスポットサイズ方式の受光領域を有する受光素子の場合について、受光素子の受光領域を余分に分割をすることなく、受光素子から得られる信号を用いて受光素子の位置調整を実現できる。
【００２６】
また、本発明の第６の構成によれば、上記第４又は第５の構成の光ピックアップ用受光素子の位置調整方法において、トラックエラー信号を得るために受光素子に設けられる受光領域がＹ方向と平行な線で分割される領域を有さない構成となるコレクトファーフィールド方式の受光領域を有する受光素子の場合について、受光素子の受光領域を余分に分割することなく、受光素子から得られる信号を用いて受光素子の位置調整を実現できる。
【発明を実施するための最良の形態】
【００２７】
以下に本発明の内容を詳細に説明するが、ここで示す実施形態は一例であり、本発明はここに示す実施形態に限定されるものではない。
【００２８】
本発明の光ピックアップ用受光素子の位置調整に関する説明を行う前に、本発明が適用される光ピックアップの構成例について説明する。図１は、本実施形態の受光素子の位置調整が行われる光ピックアップの光学系を示す概略図である。図１に示すように、光ピックアップ１は、光源２と、ビームスプリッタ３と、コリメートレンズ４と、ホログラム光学素子５と、１／４波長板６と、対物レンズ７と、受光素子８と、を備える。
【００２９】
半導体レーザで構成される光源２から出射された直線偏光の光ビームは、ビームスプリッタ２で反射され、コリメートレンズ４で平行光に変換される。コリメートレンズ４で平行光に変換された光ビームは、偏光性を与えられたホログラム光学素子５を透過し、１／４波長板６で円偏光とされ、対物レンズ７で光記録媒体９の記録面９ａに集光される。
【００３０】
そして、光記録媒体９で反射された反射光は、対物レンズ７を透過後、１／４波長板６で往路の光ビームに対して９０°回転された直線偏光となる。往路に対して９０°回転された直線偏光の光ビームは、往路の場合と異なり、ホログラム光学素子５で回折されて回折光を生じる。なお、図１においては、回折光については示していない。
【００３１】
ホログラム光学素子５を通過した光ビームは、コリメートレンズ４を透過後、往路の光ビームに対して９０°回転された直線偏光であるために、今度はビームスプリッタ３を透過し、受光素子８へと集光される。
【００３２】
このような光ピックアップ１において、対物レンズ７と、１／４波長板６と、ホログラム光学素子５とは図示しない対物レンズホルダに搭載され、対物レンズアクチュエータ１０で、光軸方向と平行な方向であるフォーカス方向と、フォーカス方向と直交し、光記録媒体９の半径方向と平行なトラッキング方向とに移動可能とされている。
【００３３】
また、ホログラム光学素子５は、光記録媒体９で反射された反射光から回折光を生じることによって、受光素子８に形成される受光領域との関係で、フォーカス制御用のフォーカスエラー信号とトラッキング制御用のトラックエラー信号とを得られるようにする。本実施形態においては、フォーカスエラー信号をスポットサイズディテクション（ＳＳＤ）方式で、トラックエラー信号をコレクトファーフィールド（ＣＦＦ）方式で得られる構成となっている。ホログラム光学素子５と受光素子８に形成される受光領域との関係について、以下に詳細に説明する。
【００３４】
なお、フォーカスエラー信号は、対物レンズ７の焦点位置が記録面９ａ上に常に合うように制御するフォーカシング制御用の信号で、トラック誤差信号は、対物レンズ７の焦点位置が光記録媒体９に形成されるトラックに追従するように制御するトラッキング制御用の信号である。
【００３５】
図２は、ホログラム光学素子５の構成を説明するための図で、ホログラム光学素子５に入射する光ビームの光軸と略直交する２つの面のうち、回折パターンが形成された一方の面の構成を模式的に示した模式図である。
【００３６】
図２に示すように、ホログラム光学素子５は、ホログラム光学素子５に入射する光ビームの光束中心１９を通る第１分割線２０ａで、第１領域１１と第２領域１２との２つの領域に分割されている。そして、この第１領域１１と第２領域１２とは、更に、第１分割線２０ａと直交し、且つ光束中心１９を通る第２分割線２０ｂによって、それぞれ領域１１ａ、１１ｂと領域１２ａ、１２ｂとに分割されている。
【００３７】
第１領域１１と第２領域１２とでは、形成される回折パターンが異なっており、光記録媒体９で反射された反射光が、この領域１１、１２を通過する際の光ビームの回折のされ方が異なる。一方、第１領域１１と第２領域１２とを更に分割する第２分割線２０ｂによって分けられた領域１１ａと領域１１ｂ、及び領域１２ａと領域１２ｂとは、それぞれ回折のされ方は同じである。第２分割線２０ｂは、第１領域１１及び第２領域１２で回折された回折光が受光素子８で受光される際の光ビームのスポットを分割する機能のみを果たす。
【００３８】
なお、本実施形態においては、第２分割線２０ｂによって第１領域１１と第２領域１２とを分割する構成としているが、これに限定されず、第２分割線２０ｂによる分割を行わない構成としても構わない。ただし、第２分割線２０ｂによって、第１領域１１と第２領域１２を分割した場合の方が、光ピックアップ作動時に、例えば対物レンズ７と受光素子８との位置ずれ等が原因となって生じる反射光の受光領域に対するスポットずれの影響を抑制できる等の理由により、第２分割線２０ｂによって第１領域１１と第２領域１２とを分割する構成が好ましい。
【００３９】
図３は、ホログラム光学素子５を通過して生じる０次光１３及び±１次光１４ａ、１４ｂ、１５ａ、１５ｂと受光素子８との対応関係を模式的に示した図であり、図３（ａ）は、ホログラム光学素子５からの０次光１３及び±１次光１４ａ、１４ｂ、１５ａ、１５ｂが到達する受光素子８の受光面８ａ上の位置を示した図で、図３（ｂ）は、図３（ａ）に対応させて、０次光１３、±１次光１４ａ、１４ｂ、１５ａ、１５ｂが到達する受光面８ａ上に形成される受光領域１６、１７ａ、１７ｂ、１８ａ、１８ｂを示した平面図である。
【００４０】
反射光のうち、ホログラム光学素子５を回折されることなく透過する０次光１３は、５つの受光領域１６、１７ａ、１７ｂ、１８ａ、１８ｂの真ん中に配置される受光領域１６で受光される。この光受光領域１６で受光された光情報は、ＲＦ信号に変換され、光記録媒体９に記録される情報の再生等に用いられる。
【００４１】
第１領域１１を通過する反射光は、回折されて＋１次光１４ａと−１次光１４ｂとを生じる。＋１次光１４ａは、受光面８ａの手前（図３（ａ）ではホログラム光学素子５と受光面８ａとの間）で焦点を結び、−１次光１４ｂは、受光面８ａの先（図３（ａ）では受光素子８の下側）で焦点を結ぶ。そして、＋１次光１４ａは受光領域１７ｂで、−１次光１４ｂは受光領域１８ａで受光される。
【００４２】
また、第２領域１２を通過する反射光は、回折されて＋１次光１５ａと−１次光１５ｂとを生じる。＋１次光１５ａは、受光面８ａの手前で焦点を結び、−１次光１５ｂは、受光面８ａの先で焦点を結ぶ。そして、＋１次光１５ａは受光領域１８ｂで、−１次光１５ｂは受光領域１７ａで受光される。
【００４３】
第２領域１２で生じる−１次光１５ｂを受光する受光領域１７ａと、第１領域１１で生じる＋１次光１４ａを受光する受光領域１７ｂと、はＳＳＤ方式で得られるフォーカスエラー信号の検出を行う領域で、それぞれ３つの領域Ｂ、Ｃ、Ｄ、及びＧ、Ｈ、Ｉに分割される。各領域Ｂ、Ｃ、Ｄ、Ｇ、Ｈ、Ｉについて、光情報から得られる電気信号をそれぞれ、ＳＢ、ＳＣ、ＳＤ、ＳＧ、ＳＨ、ＳＩとすると、フォーカスエラー信号（ＦＥＳ）は次式（３）の演算で得られる。
ＦＥＳ＝（ＳＢ＋ＳＨ＋ＳＤ）−（ＳＧ＋ＳＣ＋ＳＩ）    （３）
【００４４】
一方、第１領域１１で生じる−１次光１４ｂを受光する受光領域１８ａと、第２領域１２で生じる＋１次光１５ａを受光する受光領域１８ｂとは、ＣＦＦ方式で得られるトラックエラー信号の検出を行う領域で、それぞれ２つの領域Ａ、Ｅ及びＦ、Ｊに分割される。各領域Ａ、Ｅ、Ｆ、Ｊにおいて、光情報から得られる電気信号をそれぞれ、ＳＡ、ＳＥ、ＳＦ、ＳＪとすると、トラックエラー信号（ＴＥＳ）は次式（４）の演算で得られる。
ＴＥＳ＝（ＳＡ＋ＳＥ）−（ＳＦ＋ＳＪ）    （４）
【００４５】
以上のように構成される光ピックアップ１の受光素子８の位置調整について、以下説明する。なお、ここで説明する位置調整は、受光素子８の最終的な調整である、受光素子８のＸ方向とＹ方向（図３（ｂ）参照）の位置調整である。また、ここで言うＸ、Ｙ方向は、いずれも受光素子８の受光面８ａと平行な面内に存在し、Ｘ方向は光記録媒体９の半径方向と平行なトラッキング方向に対物レンズ７を移動させた場合に受光素子８上に集光される光スポットが移動する方向で、Ｙ方向はＸ方向と直交する方向である。
【００４６】
本実施形態の光ピックアップ１の場合、Ｘ方向に分割線を有する受光領域はあるが、Ｙ方向に分割線を有する受光領域は存在しない。この場合、Ｙ方向の位置調整は、受光領域１７ａ、１７ｂ、１８ａ、１８ｂのうちのいずれか一つ受光領域を用いれば、従来の方法で調整可能である。
【００４７】
すなわち、例えば、受光領域１７ａを用いて、領域Ｂ、Ｄから得られる信号をそれぞれＳＢ、ＳＤとした場合に、式（５）に示すＹ方向調整信号がゼロとなるように、信号値を見ながら受光素子８を移動させれば、Ｙ方向の位置調整ができる。
Ｙ方向調整信号＝ＳＢ−ＳＤ    （５）
【００４８】
しかしながら、Ｘ方向については、従来と同様な方法では調整できない。そこで、以下のようにＸ方向の位置調整を行う。なお、本発明によれば、Ｘ方向の位置調整は、領域１６、１７ａ、１７ｂ、１８ａ、１８ｂのいずれを用いても調整可能であるが、ここでは、領域１６を用いて調整する場合を一例として示す。
【００４９】
Ｘ方向の位置調整を説明するにあたっては、図４を参照しながら行う。図４は、受光領域１６のＸ方向の位置と、受光領域１６で検出される出力信号の変化を説明するための模式図である。
【００５０】
Ｘ方向の位置調整を行う場合、まず対物レンズアクチュエータ１０により対物レンズ７がトラッキング方向に振動される。対物レンズ７が振動すると、光源２から出射されて受光素子８へと集光される０次光１３（図３（ａ）参照）のスポット位置は、受光面８ａのＸ方向で振動することとなる。なお、本実施形態においては、対物レンズ７の振動幅は、受光領域１６のＸ方向の幅から、スポット光のＸ方向の最大幅の半分（本実施形態ではスポット光の半径に該当）を差し引いた長さと略同一とされている。
【００５１】
また、図４において、実線で囲まれる円は、対物レンズ７がトラッキング方向の中央に位置する場合のスポット光を示し、点線で囲まれる円は、それぞれ対物レンズ７がＸ方向の左右へ最大移動した場合のスポット光を示す。
【００５２】
図４（ａ）の状態は、受光領域１６が本来のＸ方向の最適位置から、右側に大きくずれた状態であり、対物レンズ７の振動によりスポット光が右側に移動された場合に、受光領域１６に僅かにスポット光が当たる時間があるという状態である。出力信号は、受光領域１６にスポット光が当たった場合に発生し、当たった光の面積に応じてその大きさが変わるために、図４（ａ）の状態では、スポット光が受光領域１６に当たる僅かな時間のみ小さな信号が得られることとなる。
【００５３】
すなわち、図４（ａ）のような出力信号が得られた場合には、受光素子８の位置が最適位置から大きくずれていることがわかるために、Ｘ方向のいずれかの方向（図４では左右のいずれか）に受光素子８の移動を行う必要がある。図４（ａ）の状態から、右方向に受光素子８を移動すると、スポット光が受光領域１６に当たる時間及び面積が更に減り、遂には信号が検出されなくなる。一方、左方向に受光素子８を移動すると、スポット光が受光領域１６に当たる時間及び面積が増加するために、図４（ｂ）のような出力信号が得られる。このため、受光素子８をどちらの方向に移動すれば良いかがわかる。
【００５４】
なお、受光素子８の位置がＸ方向のいずれかの方向に大きくずれている場合には、±１次光１４ａ、１４ｂ、１５ａ、１５ｂのスポット光が受光領域１６で受光され、それによる出力信号が観測される場合も考えられるが、初期段階では、受光素子８をＸ方向の両側に大きく動かしながら出力信号を観測することにより、Ｘ方向の最適位置がどの近辺かの予想をつけることが可能である。そして、最適位置近傍に受光素子８を移動した後は、０次光１３のスポット光以外が、受光領域１６に入射することはない。
【００５５】
図４（ｃ）は、受光素子８が最適位置近傍にある状態を示しており、詳細には最適位置よりもやや右側にずれた状態である。この場合には、対物レンズ７の振動によりスポット光が、受光領域１６より僅かにはみ出すために、出力信号は図４に示すように、出力信号レベルが低下する場合がある。
【００５６】
一方、図４（ｄ）のように受光素子８が最適位置に配置された場合には、スポット光がはみ出すことがなくなるために、出力信号は最大値で一定となる。すなわち、出力信号が最大値で一定となる位置を見つけることにより、Ｘ方向の位置調整を行うことができる。
【００５７】
なお、本実施形態では、対物レンズ７の振動幅を受光領域１６のＸ方向の幅から、スポット光のＸ方向の最大幅の半分を差し引いた長さとしているが、これに限定される趣旨でなく、対物レンズ７の振動幅を受光領域１６のＸ方向の幅と同等とする等、種々の変更が可能である。ただし、本実施形態のように構成した方が、最適位置となった場合に出力信号が一定となり、最適位置の判断が容易となるので好ましい。
【００５８】
また、本実施形態においては、１つの受光領域１６を用いてＸ方向の位置調整を行う方法としているが、必ずしもこの方法に限定される趣旨ではなく、Ｘ方向の位置調整を行うのに、受光素子８上に設けられる２つ以上受光領域を用いる方法等としても構わない。
【００５９】
また、本実施形態では、対物レンズアクチュエータ１０を用いて対物レンズ７を動かす構成としているが、この構成に限定される趣旨ではなく、例えば、対物レンズ７を含む光学系を光記録媒体の半径方向に移動するキャリッジの移動によって対物レンズ７を移動する構成等としても構わない。ただし、この場合には、受光素子８はキャリッジの移動と共に動かず、固定配置されている構成となっている必要がある。
【００６０】
更に、本発明は、本実施形態に示すような構成の受光素子に限らず、種々の形態の受光領域を持つ受光素子に適用可能である。ただし、受光素子が有する受光領域の中に、Ｙ方向に分割された領域を有さない受光素子において、本発明は特に有用である。
【産業上の利用可能性】
【００６１】
本発明によれば、受光素子の受光領域を位置調整用に分割する必要を無くすことが可能となるために、不要なアンプの増加等を回避でき低コスト化に繋がる。また、受光素子の位置調整を容易に行うことができる。このため、光ピックアップの組立て工程で必須となる受光素子の調整方法に適用することが可能である。
【図面の簡単な説明】
【００６２】
【図１】は、本実施形態の光ピックアップの光学系の構成を示す概略図である。
【図２】は、本実施形態の光ピックアップが備えるホログラム光学素子の構成を説明するための図で、回折パターンが形成された面の構成を模式的に示した模式図である。
【図３】は、ホログラム光学素子を通過して生じる０次光及び±１次光と受光素子との対応関係を示した説明図である。
【図４】は、受光領域のＸ方向の位置と、受光領域で検出される出力信号の変化を説明するための模式図である。
【図５】は、従来の受光素子の構成を示す平面図である。
【図６】は、従来の受光素子の構成を示す平面図である。
【図７】は、従来の受光素子の構成を示す平面図である。
【符号の説明】
【００６３】
１                                      光ピックアップ
２                                      光源
７                                      対物レンズ
８                                      受光素子
８ａ                                    受光面
９                                      光記録媒体
９ａ                                    記録面
１０                                    対物レンズアクチュエータ
１６、１７ａ、１７ｂ、１８ａ、１８ｂ    受光領域
【図１】
2007250034.tif 000003
【図２】
2007250034.tif 000004
【図３】
2007250034.tif 000005
【図４】
2007250034.tif 000006
【図５】
2007250034.tif 000007
【図６】
2007250034.tif 000008
【図７】
2007250034.tif 000009